(57)【要約】      （修正有）【課題】マトリックス型二次元情報コードを利用して、防災、防犯、資産保護、身の安全、健康管理としての食事の献立その他の情報等に関して個人情報コードシートを各種のバーコードリーダーを利用して特定された個人情報を識別し、各個人の緊急事態に迅速に対応することが出来るようにした情報コードシートを提供する。【解決手段】個人が身分証明に代わる個人情報カードをバーコードリーダーで読み込み可能とすると共に、個人情報に属する複数の情報をマトリックス型二次元情報コードを表示したシート表面に可視的に表現させた個人用情報コードシートを支援者に提供することにより要支援者の救出を迅速且つ確実に行える。【選択図】図１
0003173922.tif 000002
【実用新案登録請求の範囲】
【請求項１】
バーコードリーダーで読み込み可能とすると共に、個人情報に属する複数のの情報をマトリックス型二次元情報コードを表示したシート表面に可視的に表現させことを特徴とする情報コードシート。
【請求項２】
バーコードリーダーで読み込み可能とすると共に、個人情報に属する複数のの情報を蛍光性インクにてマトリックス型二次元情報コードを表示したシート表面に可視的に表現させことを特徴とするマトリックス型情報コードシート。
【請求項３】
バーコードリーダーで読み込み可能とすると共に、個人情報に属する複数の情報をマトリックス型二次元情報コード表示を厚板のシート表面に可視的に表現してなる情報シートを形成し、該厚板情報シートの裏面接着層を付与してなることを特徴とするトリックス型情報コードシート。
【請求項４】
バーコードリーダーで読み込み可能とすると共に、個人情報に属する複数のの情報を蛍光性インクにてマトリックス型二次元情報コードを可視的に表示した情報シートをラミネート加工してなることを特徴とするマトリックス型情報コードシート。
【考案の詳細な説明】
【技術分野】
【０００１】この考案は、マトリックス型二次元コード（以下、ＱＲコードという）を利用して、防災、防犯、資産保護、身の安全、健康管理としての食事の献立その他の情報等に関して個人情報コードシートを各種のバーコードリーダーを利用して特定された個人情報を識別し、各個人の緊急事態に迅速に対応することが出来るようにしたマトリックス型二次元コード（ＱＲコード）情報シートを提供するものである。
なお、この考案では、株式会社デンソーウェーブが開発したＱＲコードは、一般にはＱＲコード（登録商標  登録第４０７５０６６号）として広く利用されている。  即ち、株式会社デンソーウェーブによると、ＱＲとはＱｕｉｃｋ  Ｒｅｓｐｏｎｃｅ  に由来し、ＱＲコードは、ケータイのバーコードリーダーで即座にＱＲコードを読み取ることができる。従って、以下、説明の便宜上、マトリックス型二次元情報コードを、ＱＲコードと略称して説明する。
【背景技術】
【０００２】国又は地方公共団体から携帯電話やメールにて避難情報、河川水位情報、雨量情報、土砂災害警戒情報、防犯情報、食中毒注意報、等の情報を個別に配信サービスは従来から行われている。従来、このような情報の発信をしているＱＲコードとして表示しているが、これらの情報に住民側が自発的に携帯電話又はパソコンにてアクセスし得るようにすることにより市役所、消防署、保健所、及び警察署、の有する情報を得るものであった。このようなＱＲコードをシールとして、各種の私企業が広告媒体又は名刺等に印刷しておき他人がアクセスできるようにしたものは広く一般に利用されている。
【考案の概要】
【考案が解決しようとする課題】
【０００３】従来のＱＲコードは、先に述べたように国又は地方公共団体に発信される情報をＱＲコードとして主として利用されているが、徹底的に個人の情報を各個人がＱＲコードとして利用することはほとんど実用化されていない。しかし、社会が複雑化して各地で発生している犯罪も複雑に多様化している。【０００４】ある特定の高齢者、病人、要介護者、被災者、独居人等弱者（以下、要支援者という）なる個人が危機的状況にある時、第三者又はその関係者が警察署、消防署、保健所、電力会社、病院、介護施設に連絡したとしても、個人の身分証明ができない場合、第三者又はその関係者が警察署、消防署、保健所、電力会社、病院、介護施設等の職員（以下、支援者という）といえども、個人を搬送する行為、医療行為、財産の保全行為その他の緊急保護行為ができないこともある。このような場合、個人が身分証明に代わる個人情報カードを保有しており、その個人情報カードを特定の手段により読み取ることによりその人の個人情報が明らかとなれば、その後の個人を搬送する行為、医療行為、財産の保全行為その他の緊急保護行為が極めて容易になることがある。【０００５】支援者と要支援者とは、次のような関係が望ましい。
即ち、要支援者から支援者に対して支援の要請があれば、支援者は要支援者がＱＲコードを所持していることを確認し、ＱＲコードを読み取る機器を所持すると共に、要支援者は自分が所持しているＱＲコードを介して支援者が安全に支援をしてくれることを確信する。ＱＲコードを介して支援者と要支援者の両者がこのような関係を育てる努力をすること、従って、ＱＲコードが真に実用化するためには、支援者と、要支援者と、ＱＲコード込められた個人情報リストとを緊密な連繋を図るような社会構造であることが望ましい。
【課題を解決するための手段】
【０００６】この考案は、個人が身分証明に代わる個人情報カードをバーコードリーダーで読み込み可能とすると共に、個人情報に属する複数の情報をＱＲコードを表示したシート表面に可視的に表現させた個人用情報コードシートを提供することにより要支援者の救出を迅速且つ確実に行える。【０００７】また、この考案は、バーコードリーダーで読み込み可能とすると共に、個人情報に属する複数の情報を蛍光性インクにてＱＲコードを表示したシート表面に可視的に表現させたＱＲコード型個人用情報コードシートとしたものである。【０００８】更に、この考案は、バーコードリーダーで読み込み可能とすると共に、個人情報に属する複数の情報をマトリックス型二次元情報コード表示を厚板のシート表面に可視的に表現してなる情報シートを形成し、該厚板情報シートの裏面接着層を付与したＱＲコード型個人用情報コードシートとしたものである。【０００９】更にまた、この考案は、バーコードリーダーで読み込み可能とすると共に、個人情報に属する複数の情報を蛍光性インクにてＱＲコードを可視的に表示した情報シートをラミネート加工した個人用情報コードシートとしたものである。
【考案の効果】
【００１０】この考案のバーコードリーダーで読み込み可能とすると共に、個人情報に属する複数の情報をＱＲコードを表示したシート表面に可視的に表現させて個人保有型のＱＲコードは、ＩＤカードの普及していないわが国ではＩＤカードに代わるものとして利用し得ると共に、当該個人に関わる情報、例えば健康に関する情報、資産にに関する情報、家族に関する情報、健康に関する情報、災害時の避難に関する情報等々をＩＤカードと共に利用することができることから、当該個人の病気の管理、資産の保全、医療機関、家族、公共団体への連絡を可及的速やかに連絡が可能となる。
【考案を実施するための最良の形態】
【００１１】この考案は、バーコードリーダーで読み込み可能とすると共に、特定の個人情報に属する複数のの情報をＱＲコードを表示したシート表面に可視的に表現させてなる情報コードシートである。
【実施例１】
【００１２】個人保有型のＱＲコードを作成するために、要支援者の側から支援者に先ず伝えたい内容を自己又は第三者の協力を得て以下の情報を事前に書き出すことによって要支援者の個人情報リストをまず作成する。この個人情報リストをＱＲコード作成ソフトによりＱＲコード化する。【００１３】図１はＱＲコードを読み取って得られた個人の情報の詳細なリスト１である。従って、各個人により以下の個人リストは適宜に修正、追加することはもとより可能である。【００１４】以下、個人リストの情報項目である。
Ａ）Ｘ氏の住所、氏名、生年月日、自宅の電話番号
及び携帯番号の表示
Ｂ）Ｘ氏の親戚の連絡場所
Ｃ）Ｘ氏の個人の住民票コードの番号
Ｄ）Ｘ氏の認知症情報、身体不自由度情報、要介護度情報
、アレルギー情報、病気情報、疾病情報、処方箋情報
Ｅ）Ｘ氏の資産情報、資産保管情報
Ｆ）Ｘ氏の食事、カロリー摂取情報、処方箋情報
Ｇ）Ｘ氏の属している土地の▲１▼救急消防署、▲２▼市役所
、▲３▼ガス会社、▲４▼電力会社、等の各電話番号
Ｈ）Ｘ氏が関わっている各種の複数の医療機関の電話番号
及び医療機関の種別及び個人のＩＤ番号、
Ｉ）緊急災害時におけるＸ氏の避難場所の住所
Ｊ）Ｘ氏の既往症歴の詳細即ち、血液型及び手術の
年．日、及び現在の症状、
Ｋ）Ｘ氏の家族構成即ち、父親、母親、兄弟、姉妹
の住所、居所及び連絡先
Ｌ）伝号ダイアルの（双方向の）使い方ダイアル表示
録音側の表示の使い方の説明
再生側の表示の使い方の説明【００１５】以上の情報リストを基礎としてＱＲコード２を作成する場合、これらの情報を取捨選択したり、追加情報をいれて、ＱＲコード２を作成することも可能である。これらの情報は要支援者の身分保証、個人情報の保護に関係するものであるから、通常の場合はむやみに第三者に開示されるべきものでない。但し、緊急時には支援者は、特定個人である要支援者を守る貴重な情報となり、本来秘匿さるべき個人情報の扱いは慎重にすべきである。
図２は、上記個人情報をＱＲコード２を適当な大きさのシート８に表示したものである。【００１６】例えば、独居老人であるＸ氏又はその関係者から支援者に支援の要請があった場合、Ｘ氏の有するＱＲコードシート８が支援者に示され、支援者が携帯電話のバーコードリーダーでＱＲコードシート８から前記個人リスト読み取りＸ氏をどこに搬送し、どこに連絡すればよいかをたちどころに理解できる。
従って、このようなＱＲコードシート８を高齢者、単身赴任者、出稼労働者、旅行者、実家と離れた所に下宿している学生さん等が常に自分の個人情報として携帯しておれば遠隔地で何らかの事故に遭遇した場合にも支援者の側も安心して随時に支援ができる。【００１７】以上のデーターを変換ソフトにて第２に示す、ＱＲコードシート８を作成する。
図１に示したデーターリスト１は、それ自体が本人の身分証明を兼ねているので、本人又は第三者から連絡を受けて救急車の要請があった場合、本人が所有している図２のＱＲコード２を適当な大きさのシート８の表面に表示させてあるので、このＱＲコードシート８を支援者に示せば、支援者の手持ちのバーコードリーダーでそこに表示されたＱＲコード２を読み取れば、救護班は即座に本人の身分証明、個人情報のデーターとが同時的に得られる。
【実施例２】
【００１８】図３に示す考案では、バーコードリーダーで読み込み可能とすると共に、個人情報に属する複数の情報を蛍光性インクにてＱＲコードシート８の表面に蛍光性インクにてＱＲコード２又はその他の表示の部分に、例えばＱＲコード２は「Ｘ氏のパーソナルＱＲコード」である旨タイトル９の表示等を蛍光性の印刷表示３にて表示すれば、ＱＲコード２の蛍光性の印刷表示面３が蛍光性を有することになり、夜間又は暗書に支援者が駆けつけたとき、ＱＲコードシート８の所在が暗がりであっても、その位置を容易に認識することができて便利である。
【実施例３】
【００１９】図４に示す考案では、バーコードリーダーで読み込み可能とすると共に、個人情報に属する複数の情報をＱＲコード２は厚紙４製のシート８の表面に表示してあり、且つ裏面には接着層６を設け、更にその接着層６の更に、その外面に剥離自在に離型紙７を仮貼してある。
従って、このような厚紙カードの裏面の剥離自在に離型紙７を剥がせば、支援者の目につきやすい場所に予め各所に貼着しておけばその発見が容易である。
【実施例４】
【００２０】図５に示す考案は、バーコードリーダーで読み込み可能とすると共に、個人情報に属する複数の情報をＱＲコード２を厚板４製のシート８の表面に表示すると共に、該ＱＲコード厚板シート８の全体を透明性ラミネート被覆５加工した個人用情報コードシートとしてあるものである。このようにした場合、使用上の耐久性が飛躍的に向上する。
【産業上の利用可能性】
【００２１】このＱＲコードを効果的に利用すれば、緊急時の要支援者の側からの要請があった時、支援者は要支援者にＱＲコードシートの提示を求め、該ＱＲコードを読み取ることだけで要支援者の概略の状況を把握することができ、要支援者の支援の要請に適格且つ迅速に対応することができることになり、わが国で安心、安全生活することができる。
【図面の簡単な説明】
【００２２】
【図１】要支援者の個人情報の詳細なデーターリスト
【図２】データーリストを作成ソフトにより作成したＱＲコードを表示したシートの平面図
【図３】蛍光インクにシートとしたＱＲコードシートの平面図
【図４】ＱＲコードシートを厚板製のにカードとしたＱＲコードの断面図
【図５】ＱＲコードシートをラミネート加工して示す断面図
【符号の説明】
【００２３】１．．．データーリスト
２．．．ＱＲコード
３．．．蛍光性インク
４．．．厚板
５．．．ラミネート被覆
６．．．接着層
７．．．離型紙
８．．．シート
９．．．タイトル
【先行技術文献】
【００２４】ＱＲコードを利用した技術文献として、ＱＲコードを印刷手段によって高齢者用衣料に印刷することによって対処する高齢者への支援を達成しようとするもの（特許文献１）及び個人情報とイラストとを表示してシール化することにより簡単且つ安全に個人情報を携帯し得るものはある（特許情報２）があるが、これらの技術情報はいずれも、その技術の内容の開示が明確に行われているとはいえないものである。
【技術文献１】
特開２００６−２４９６３８  号
【技術文献２】
実用新案登録第３１３４６０６号
【図１】
0003173922.tif 000003
【図２】
0003173922.tif 000004
【図３】
0003173922.tif 000005
【図４】
0003173922.tif 000006
【図５】
0003173922.tif 000007
【手続補正書】
【提出日】平成23年11月24日(2011.11.24)
【手続補正１】
【補正対象書類名】実用新案登録請求の範囲
【補正対象項目名】請求項１
【補正方法】変更
【補正の内容】
【請求項１】
バーコードリーダーで読み込み可能とすると共に、上部位置に要支援者の氏名を特定するタイトルと、前記要支援者の個人情報に属する複数の情報をマトリックス型二次元情報コードを前記タイトルの下部に表示した所定大のシート表面に可視的に表現させたことを特徴とする情報コードシート。
【手続補正２】
【補正対象書類名】実用新案登録請求の範囲
【補正対象項目名】請求項２
【補正方法】変更
【補正の内容】
【請求項２】
バーコードリーダーで読み込み可能とすると共に、上部位置に要支援者の氏名を特定するタイトルと、前記要支援者の個人情報に属する複数の情報とを蛍光性インクにてマトリックス型二次元情報コードを前記タイトルの下部に表示した所定大のシート表面に可視的に表現させたことを特徴とするマトリックス型情報コードシート。